(57)【要約】【課題】ライトトンネルの位置ずれを防止することが可能なプロジェクタを提供する。【解決手段】プロジェクタ５０は、光Ｌが通過可能な中空状の導光路１２ａを有し、導光路１２ａによって光Ｌを成形する矩形状のライトトンネル１２と、ライトトンネル１２が保持される保持部７ａが形成された下部キャスティング７と、ライトトンネル１２の隣接する２つのガラス板２０および２１の外表面を下部キャスティング７の保持部７ａの方向に押圧する押圧部１３ｅ（１３ｆ）および押圧部１３ｇ（１３ｈ）を含み、ライトトンネル１２を押圧した状態で保持するためのライトトンネルクリップ１３とを備え、押圧部１３ｅ（１３ｆ）および押圧部１３ｇ（１３ｈ）は、それぞれ、ライトトンネル１２のガラス板２０および２１の外表面の光Ｌの進行方向に対して直交する実質的に同一の線３０（４０）上の同じ位置Ｐ１（Ｐ２）を押圧する。【選択図】図９
2007256337.tif 000002
【特許請求の範囲】
【請求項１】
光が通過可能な中空状の導光路を有し、前記導光路によって光を成形し、第１、第２、第３および第４の表面を有する矩形状のライトトンネルと、前記ライトトンネルを保持する光学部品保持部材と、前記ライトトンネルの光の入射口の外周部を光から遮蔽するためのマスク部を含み、前記光学部品保持部材に前記ライトトンネルを固定するためのライトトンネルクリップとを備えたプロジェクタにおいて、
前記光学部品保持部材は、
前記ライトトンネルが保持される保持部と、
前記ライトトンネルを挟むように配置された第１係合孔および第２係合孔と、
前記ライトトンネルクリップのマスク部の一部が嵌め込まれる開口部と、
前記光学部品部材と一体的に形成され、前記ライトトンネルクリップのマスク部を当接させて、前記ライトトンネルクリップを位置決めするための位置決め用突出部と、
前記ライトトンネルの第３および第４の表面の所定の部分をそれぞれ支持するために前記保持部に設けられた凸状の第１および第２支持部と、
前記ライトトンネルを冷却するために前記保持部に設けられた空気の取入口とを含み、
前記ライトトンネルクリップは、
前記ライトトンネルの隣接する第１および第２の表面を前記光学部品保持部材の保持部の方向に押圧する第1押圧部および第２押圧部と、
バネ性を有する材料からなるとともに、前記第１係合孔および前記第２係合孔にそれぞれ係合される第１係合爪および第２係合爪とを含み、
前記第１押圧部および前記第２押圧部は、それぞれ、前記ライトトンネルの前記第１および第２の表面の光の進行方向に対して直交する実質的に同一の線上の位置を押圧する、プロジェクタ。
【請求項２】
光が通過可能な中空状の導光路を有し、前記導光路によって光を成形する矩形状のライトトンネルと、
前記ライトトンネルが保持される保持部が形成された光学部品保持部材と、
前記ライトトンネルの隣接する第１および第２の表面を前記光学部品保持部材の保持部の方向に押圧する第1押圧部および第２押圧部を含み、前記ライトトンネルを押圧した状態で保持するためのライトトンネルクリップとを備え、
前記第１押圧部および前記第２押圧部は、それぞれ、前記ライトトンネルの前記第１および第２の表面の光の進行方向に対して直交する実質的に同一の線上の位置を押圧する、プロジェクタ。
【請求項３】
前記光学部品保持部材は、前記ライトトンネルを挟むように配置された第１係合孔および第２係合孔を含み、
前記ライトトンネルクリップは、バネ性を有する材料からなるとともに、前記第１係合孔および前記第２係合孔にそれぞれ係合される第１係合爪および第２係合爪を含む、請求項２に記載のプロジェクタ。
【請求項４】
前記ライトトンネルクリップは、前記ライトトンネルの光の入射口の外周部を光から遮蔽するためのマスク部をさらに含み、
前記光学部品保持部材は、前記ライトトンネルクリップのマスク部を当接させて、前記ライトトンネルクリップを位置決めするための位置決め用突出部を一体的に含む、請求項２または３に記載のプロジェクタ。
【請求項５】
前記光学部品保持部材は、前記ライトトンネルクリップのマスク部の一部が嵌め込まれる開口部をさらに含む、請求項４に記載のプロジェクタ。
【請求項６】
前記光学部品保持部材の保持部は、前記ライトトンネルの第３および第４の表面の所定部分をそれぞれ支持するための凸状の第１および第２支持部と、前記ライトトンネルを冷却するための空気の取入口とを含む、請求項２〜５のいずれか１項に記載のプロジェクタ。
【発明の詳細な説明】
【技術分野】
【０００１】
この発明は、プロジェクタに関し、特に、ライトトンネルを有するプロジェクタに関する。
【背景技術】
【０００２】
従来、光源ランプからの光を所定の形状に成形するためのライトトンネルを有するプロジェクタが知られている（たとえば、特許文献１および２参照）。そして、そのライトトンネルをプロジェクタに保持するためのライトトンネルクリップが提案されている（たとえば、特許文献３および４参照）。なお、上記特許文献１および２には、ライトトンネルクリップは開示されていない。
【０００３】
図１７は、上記特許文献３に開示された従来のプロジェクタのライトトンネルが取り付けられるキャスティングの斜視図である。図１８は、上記特許文献３に開示された従来のライトトンネルクリップの斜視図である。図１９は、上記特許文献３に開示された従来のライトトンネルクリップがキャスティングに取り付けられた状態の斜視図である。以下、図１７〜図１９を参照して、上記特許文献３に開示された従来のプロジェクタのライトトンネル周辺の構造について説明する。
【０００４】
キャスティング１００には、図１７に示すように、ライトトンネル１０１（図１９参照）が保持される溝状の保持部１００ａが形成されている。また、キャスティング１００には、ライトトンネルクリップ１０２（図１８参照）を取り付けるためのネジ１０３（図１９参照）が螺合される一対のネジ孔１００ｂが形成されている。また、キャスティング１００には、ライトトンネルクリップ１０２の位置決めをするための一対のボス１００ｃが形成されている。
【０００５】
図１８に示すように、ライトトンネルクリップ１０２には、ライトトンネル１０１の外表面をキャスティング１００の保持部１００ａに押圧する押圧部１０２ａ、１０２ｂ、１０２ｃおよび１０２ｄが形成されている。図１９に示すように、押圧部１０２ａおよび１０２ｂは、ライトトンネル１０１の表面１０１ａを押圧し、押圧部１０２ｃおよび１０２ｄは、ライトトンネル１０１の表面１０１ｂを押圧するように構成されている。ライトトンネルクリップ１０２には、キャスティング１００の位置決め用の一対のボス１００ｃがそれぞれ嵌合される一対の位置決め孔１０２ｅが形成されている。また、ライトトンネルクリップ１０２には、取り付け用の一対のネジ１０３がそれぞれ挿入される一対のネジ挿入孔１０２ｆが形成されている。また、ライトトンネルクリップ１０２には、ライトトンネル１０１の入射口の外周部への光を遮蔽するためのマスク部１０２ｇが形成されている。
【０００６】
このライトトンネルクリップ１０２は、ライトトンネル１０１がキャスティング１００の保持部１００ａに配置された状態で、キャスティング１００の位置決め用のボス１００ｃを位置決め孔１０２ｅに嵌合させて位置決めされ、２本のネジ１０３がネジ挿入孔１０２ｆに挿入されている。そして、取り付けられたライトトンネルクリップ１０２は、押圧部１０２ａおよび１０２ｂによって、ライトトンネル１０１の表面１０１ａをキャスティング１００の保持部１００ａの方向に押圧するとともに、押圧部１０２ｃおよび１０２ｄによって、ライトトンネル１０１の表面１０１ｂをキャスティング１００の保持部１００ａの方向に押圧する。
【０００７】
また、上記特許文献４には、上記特許文献３に開示されたライトトンネルクリップに抜け止め部材を設けることによって、光源ランプが配置されるランプケースとライトトンネルとの相対位置を位置決めすることが容易なプロジェクタが開示されている。
【０００８】
【特許文献１】特開２００４−３５４９２５号公報
【特許文献２】登録実用新案第３０９３００５号公報
【特許文献３】登録実用新案第３０９２５１０号公報
【特許文献４】特開２００５−４３６０３号公報
【発明の開示】
【発明が解決しようとする課題】
【０００９】
しかしながら、上記特許文献３および４のプロジェクタでは、図１９に示すように、ライトトンネルクリップ１０２の押圧部１０２ａ、１０２ｂ、１０２ｃおよび１０２ｄが、それぞれ、ライトトンネル１０１の光Ｌの進行方向上の異なる位置Ｐ５、Ｐ６、Ｐ７およびＰ８を押圧するので、ライトトンネル１０１に作用する押圧力が、光Ｌの進行方向上で不均一になる。このため、プロジェクタに設けられたモータの振動などによりライトトンネル１０１の位置が移動するといった問題点がある。
【００１０】
この発明は、上記のような課題を解決するためになされたものであり、この発明の１つの目的は、ライトトンネルの位置ずれを防止することが可能なプロジェクタを提供することである。
【課題を解決するための手段】
【００１１】
この発明の第１の局面によるプロジェクタは、光が通過可能な中空状の導光路を有し、導光路によって光を成形し、第１、第２、第３および第４の表面を有する矩形状のライトトンネルと、ライトトンネルを保持する光学部品保持部材と、ライトトンネルの光の入射口の外周部を光から遮蔽するためのマスク部を含み、光学部品保持部材にライトトンネルを固定するためのライトトンネルクリップとを備えたプロジェクタにおいて、光学部品保持部材は、ライトトンネルが保持される保持部と、ライトトンネルを挟むように配置された第１係合孔および第２係合孔と、ライトトンネルクリップのマスク部の一部が嵌め込まれる開口部と、光学部品部材と一体的に形成され、ライトトンネルクリップのマスク部を当接させて、ライトトンネルクリップを位置決めするための位置決め用突出部と、ライトトンネルの第３および第４の表面の所定の部分をそれぞれ支持するために保持部に設けられた凸状の第１および第２支持部と、ライトトンネルを冷却するために保持部に設けられた空気の取入口とを含み、ライトトンネルクリップは、ライトトンネルの隣接する第１および第２の表面を光学部品保持部材の保持部の方向に押圧する第1押圧部および第２押圧部と、バネ性を有する材料からなるとともに、第１係合孔および第２係合孔にそれぞれ係合される第１係合爪および第２係合爪とを含み、第１押圧部および第２押圧部は、それぞれ、ライトトンネルの第１および第２の表面の光の進行方向に対して直交する実質的に同一の線上の位置を押圧する。
【００１２】
この発明の第１の局面によるプロジェクタでは、上記のように、ライトトンネルの第１および第２の表面の光の進行方向に対して直交する実質的に同一の線上の位置をそれぞれ押圧する第１押圧部および第２押圧部を含むライトトンネルクリップを設けることによって、第１押圧部および第２押圧部により、ライトトンネルの第１および第２の表面の光の進行方向に対して直交する実質的に同一の線上の位置を押圧することができるので、ライトトンネルの第１および第２の表面にそれぞれ作用する各押圧力の光の進行方向に沿った押圧位置が、互いにずれるのを抑制することができる。これにより、ライトトンネルが光学部品保持部材の保持部に安定した状態で保持されるので、モータなどの振動によるライトトンネルの位置ずれを抑制することができる。
【００１３】
また、上記第１の局面によるプロジェクタでは、ライトトンネルクリップに、光学部品保持部材に形成された第１係合孔および第２係合孔にそれぞれ係合される第１係合爪および第２係合爪を設けることによって、ライトトンネルクリップの第１係合爪および第２係合爪を、それぞれ、光学部品保持部材の第１係合孔および第２係合孔に係合させることにより、ライトトンネルクリップを光学部品保持部材に取り付けることができる。これにより、ネジなどによってライトトンネルクリップを取り付ける場合に比べて、ライトトンネルクリップの取付工程を簡略化することができるとともに、部品点数を低減することができる。また、第１係合爪および第２係合爪をバネ性を有する材料により形成することによって、ネジによりライトトンネルクリップを光学部品保持部材に固定する場合と異なり、ライトトンネルの振動を吸収することができる。また、光学部品保持部材に位置決め用突出部を一体的に設けることによって、その一体的に設けられた位置決め用突出部にライトトンネルクリップのマスク部を当接させてライトトンネルクリップを位置決めすることができるので、部品点数を増加させることなく、ライトトンネルクリップの位置決めをすることができる。
【００１４】
また、上記第１の局面によるプロジェクタでは、光学部品保持部材にライトトンネルクリップのマスク部を嵌め込み可能な開口部を設けることによって、ライトトンネルクリップのマスク部の一部を光学部品保持部材の開口部に嵌め込むことができるので、マスク部の折り曲げ加工の際の加工精度のばらつきなどによるマスク部の位置ずれを防ぐことができる。これにより、マスク部がカラーホイールなどと干渉することを防止することができるので、マスク部およびカラーホイールなどが破損するのを防止することができる。また、光学部品保持部材の保持部に、ライトトンネルの第３および第４の表面の所定部分を支持するための凸状の第１および第２支持部を設けることによって、ライトトンネルの第３および第４の表面の所定部分をそれぞれ保持部の凸状の第１および第２支持部上に配置することができるので、保持部とライトトンネルの第３および第４の表面との間に空間を形成することができる。この場合に、光学部品保持部材に、ライトトンネルを冷却するための空気の取入口を設けることによって、保持部の空気の取入口から送られる空気が、上記第１および第２支持部により形成される保持部とライトトンネルの第３および第４の表面との間の空間を流れることができるので、ライトトンネルの冷却効率を向上させることができる。
【００１５】
この発明の第２の局面によるプロジェクタは、光が通過可能な中空状の導光路を有し、導光路によって光を成形する矩形状のライトトンネルと、ライトトンネルが保持される保持部が形成された光学部品保持部材と、ライトトンネルの隣接する第１および第２の表面を光学部品保持部材の保持部の方向に押圧する第1押圧部および第２押圧部を含み、ライトトンネルを押圧した状態で保持するためのライトトンネルクリップとを備え、第１押圧部および第２押圧部は、それぞれ、ライトトンネルの第１および第２の表面の光の進行方向に対して直交する実質的に同一の線上の位置を押圧する。
【００１６】
この発明の第２の局面によるプロジェクタでは、上記のように、ライトトンネルの第１および第２の表面の光の進行方向に対して直交する実質的に同一の線上の位置を押圧する第１押圧部および第２押圧部を含むライトトンネルクリップを設けることによって、第１押圧部および第２押圧部により、ライトトンネルの第１および第２の表面の光の進行方向に対して直交する実質的に同一の線上の位置を押圧することができるので、ライトトンネルの第１および第２の表面にそれぞれ作用する各押圧力の光の進行方向に沿った押圧位置が、互いにずれるのを抑制することができる。これにより、ライトトンネルが光学部品保持部材の保持部に安定した状態で保持されるので、モータなどの振動によるライトトンネルの位置ずれを抑制することができる。
【００１７】
上記第２の局面によるプロジェクタにおいて、好ましくは、光学部品保持部材は、ライトトンネルを挟むように配置された第１係合孔および第２係合孔を含み、ライトトンネルクリップは、バネ性を有する材料からなるとともに、第１係合孔および第２係合孔にそれぞれ係合される第１係合爪および第２係合爪を含む。このように構成すれば、ライトトンネルクリップの第１係合爪および第２係合爪を、それぞれ、光学部品保持部材の第１係合孔および第２係合孔に係合させることによって、ライトトンネルクリップを光学部品保持部材に取り付けることができる。これにより、ネジなどによってライトトンネルクリップを取り付ける場合に比べて、ライトトンネルクリップの取付工程を簡略化することができるとともに、部品点数を低減することができる。また、第１係合爪および第２係合爪をバネ性を有する材料により形成することによって、ネジによりライトトンネルクリップを光学部品保持部材に固定する場合と異なり、ライトトンネルの振動を吸収することができる。
【００１８】
上記第２の局面によるプロジェクタにおいて、好ましくは、ライトトンネルクリップは、ライトトンネルの光の入射口の外周部を光から遮蔽するためのマスク部をさらに含み、光学部品保持部材は、ライトトンネルクリップのマスク部を当接させて、ライトトンネルクリップを位置決めするための位置決め用突出部を一体的に含む。このように、光学部品部材に位置決め用突出部を一体的に設けることによって、その一体的に設けられた位置決め用突出部にライトトンネルクリップのマスク部を当接させてライトトンネルクリップを位置決めすることができるので、部品点数を増加させることなく、ライトトンネルクリップの位置決めをすることができる。
【００１９】
上記マスク部を有するライトトンネルクリップを備えたプロジェクタにおいて、好ましくは、光学部品保持部材は、ライトトンネルクリップのマスク部の一部が嵌め込まれる開口部をさらに含む。このように構成すれば、ライトトンネルクリップのマスク部の一部を光学部品保持部材の開口部に嵌め込むことができるので、マスク部の折り曲げ加工の際の加工精度のばらつきなどによるマスク部の位置ずれを防ぐことができる。これにより、マスク部がカラーホイールなどと干渉することを防止することができるので、マスク部およびカラーホイールなどが破損するのを防止することができる。
【００２０】
上記第２の局面によるプロジェクタにおいて、好ましくは、光学部品保持部材の保持部は、ライトトンネルの第３および第４の表面の所定部分をそれぞれ支持するための凸状の第１および第２支持部と、ライトトンネルを冷却するための空気の取入口とを含む。このように構成すれば、ライトトンネルの第３および第４の表面の所定部分を、それぞれ保持部の凸状の第１および第２支持部上に配置することができるので、保持部とライトトンネルの第３および第４の表面との間に空間を形成することができる。この場合に、光学部品保持部材に、ライトトンネルを冷却するための空気の取入口を設けることによって、保持部の空気の取入口から送られる空気が、上記第１および第２支持部により形成される保持部とライトトンネルの第３および第４の表面との間の空間を流れることができるので、ライトトンネルの冷却効率を向上させることができる。
【発明を実施するための最良の形態】
【００２１】
以下、本発明の実施形態を図面に基づいて説明する。
【００２２】
図１は、本発明の一実施形態によるプロジェクタの全体構成を示した斜視図である。図２は、本発明の一実施形態によるプロジェクタの内部構成を概略的に示した平面図である。図３は、本発明の一実施形態によるプロジェクタの内部構成を示す斜視図である。図４〜図１１は、本発明の一実施形態によるプロジェクタの内部構成および構成部品の詳細図である。図１３および図１４は、本発明の一実施形態による内部構成の分解斜視図である。図１〜図１４を参照して、本発明の一実施形態によるプロジェクタの構造について説明する。
【００２３】
本発明の一実施形態によるプロジェクタ５０のフレームは、図１に示すように、前部フレーム１、後部フレーム２、上部フレーム３および下部フレーム４を含んでいる。前部フレーム１の矢印Ａ方向の端部側の部分には、映像を投影するための投影レンズ８が挿入されるレンズ挿入部１ａが形成されている。また、図１および図２に示すように、前部フレーム１の矢印Ｂ方向側の部分には、空気の排気口１ｂが形成され、下部部フレーム４の矢印Ｂ方向の側面にも、空気の排気口４ａが形成されている。また、後部フレーム２の矢印Ａ方向側の部分および下部フレーム４の矢印Ａ方向の側面には、それぞれ、冷却用の空気の吸入口２ａおよび４ｂが形成されている。
【００２４】
また、下部フレーム４には、図１、図３および図４に示すように、光学部品が保持される金属製（Ｍｇ製）のキャスティング５が取り付けられている。このキャスティング５は、上部キャスティング６と、下部キャスティング７とから構成されている。なお、下部キャスティング７は、本発明の「光学部品保持部材」の一例である。上部キャスティング６には、投影レンズ８が装着されるレンズ装着部６ａが形成されている。また、上部キャスティング６には、後述するＤＭＤ（Ｄｉｇｉｔａｌ  Ｍｉｃｒｏｍｉｒｒｏｒ  Ｄｅｖｉｃｅ）素子１７などが保持される。
【００２５】
図５および図６に示すように、下部キャスティング７の矢印Ｂ方向の端部には、後述するライトトンネル１２の２つの外表面が保持される２つの支持面７ｂおよび７ｃを有する保持部７ａが形成されている。一方の支持面７ｂは、水平面から所定の角度傾斜するように設けられており、他方の支持面７ｃは、一方の支持面７ｂに対して実質的に直交するように設けられている。また、保持部７ａの２つの支持面７ｂおよび７ｃには、それぞれ、ライトトンネル１２が押圧される凸状の支持部７ｄおよび７ｅが一対ずつ形成されている。一対の支持部７ｄおよび一対の支持部７ｅは、それぞれ、矢印ＡおよびＢ方向に所定の間隔を隔てて配置されるとともに、矢印ＣおよびＤ方向に延びるように形成されている。なお、支持部７ｄは、本発明の「第１支持部」の一例であり、支持部７ｅは、本発明の「第２支持部」の一例である。図５および図７に示すように、保持部７ａの支持面７ｂには、ライトトンネル１２の冷却用の２つの空気の取入口７ｆが形成されている。保持部７ａの支持面７ｂの矢印Ｃ方向の端部には、後述するライトトンネルクリップ１３の係合爪１３ｉが係合される３つの係合孔７ｇが形成されている。また、保持部７ａの支持面７ｃから矢印Ｄ方向に所定の間隔を隔てた下部キャスティング７の上面部の位置には、後述するライトトンネルクリップ１３の係合爪１３ｊが係合される係合孔７ｈが形成されている。なお、係合孔７ｇは、本発明の「第１係合孔」の一例であり、係合孔７ｈは、本発明の「第２係合孔」の一例である。また、下部キャスティング７の矢印Ｂ方向の端部には、後述する円板状のカラーホイール１１に対応する円弧状の凹部７ｉが形成されている。保持部７ａの矢印Ｂ方向の端部と凹部７ｉとの間には、後述するライトトンネルクリップ１３のマスク部１３ｋが、嵌め込まれる開口部７ｊが形成されている。また、下部キャスティング７の保持部７ａの矢印Ｂ方向、かつ、矢印Ｄ方向の端部近傍には、ライトトンネルクリップ１３の位置決め用の突出部７ｋが形成されている。
【００２６】
また、図２に示すように、プロジェクタ５０は、光源ランプ１０と、カラーホイール１１と、ライトトンネル１２と、ライトトンネルクリップ１３と、レンズ群１４と、ミラー１５と、レンズ１６と、ＤＭＤ素子１７と、プリント基板１８とを備えている。
【００２７】
図２に示すように、光源ランプ１０は、光源としてのバルブ１０ａと、バルブ１０ａが発する光Ｌを反射して集光するためのリフレクタ１０ｂとを備えている。この光源ランプ１０は、箱型形状のランプケース１９の内部に装着されている。また、光源ランプ１０の矢印Ｃ方向には、光源ランプ１０を冷却するための冷却ファン２８が配置されている。冷却ファン２８から送られた空気は、光源ランプ１０を冷却した後、前部フレーム１の排気口１ｂから排気される。
【００２８】
また、カラーホイール１１は、光源ランプ１０のバルブ１０ａから発せられた光Ｌがリフレクタ１０ｂによって集光される位置に回転可能に配置されている。このカラーホイール１１は、光源ランプから出射される光Ｌに色（たとえば、赤、青、緑）を付加する機能を有している。
【００２９】
また、図２に示すように、ライトトンネル１２は、カラーホイール１１を挟んで光源ランプ１０と対向するように配置されている。なお、図２および図１３に示すように、ライトトンネル１２とカラーホイール１１との間の間隔が、数ｍｍ（たとえば、約３ｍｍ）となるように、それぞれが配置されている。図８に示すように、ライトトンネル１２は、４枚のガラス板２０、２１、２２および２３によって構成されている。なお、ガラス板２０の外表面は、本発明の「第１の表面」の一例であり、ガラス板２１の外表面は、本発明の「第２の表面」の一例である。また、ガラス板２２の外表面は、本発明の「第３の表面」の一例であり、ガラス板２３の外表面は、本発明の「第４の表面」の一例である。これら４枚のガラス板２０〜２３は、内部に中空状の矩形の導光路１２ａが形成されるように直方体形状に組み立てられている。４枚のガラス板２０〜２３の導光路１２ａを構成する内表面上には、光Ｌを均一化するための銀製の反射膜（図示せず）がコーティングされている。図８に示すように、ライトトンネル１２の両端には、それぞれ、矢印Ａ方向に進行する光Ｌが入射する矩形状の入射口１２ｂおよび光Ｌが出射する矩形状の出射口１２ｃが設けられている。すなわち、カラーホイール１１を透過した光Ｌが、ライトトンネル１２の導光路１２ａの反射膜に反射されながら通過することにより、均一化されるとともに、矩形状に成形されるように、ライトトンネル１２が構成されている。
【００３０】
ライトトンネル１２のガラス板２２および２３の外表面が、それぞれ、下部キャスティング７の保持部７ａの支持面７ｂおよび７ｃに形成された凸状の支持部７ｄおよび７ｅ上に配置された状態で、ライトトンネル１２は、ライトトンネルクリップ１３によって固定される。この場合、ライトトンネル１２は、保持部７ａの支持面７ｂおよび７ｃから浮いた状態で、凸状の支持部７ｄおよび７ｅによって支持される。そして、ライトトンネル１２の矢印Ｃ方向に配置された冷却ファン２５によって空気が送られると、下部キャスティング７の取入口７ｆからその空気が取り入れられて、保持部７ａの支持面７ｂおよび７ｃとライトトンネル１２のガラス板２２および２３との間に形成された空間を空気が流れることによって、ライトトンネル１２が冷却されるように構成されている。なお、ライトトンネル１２を冷却した空気は、前部フレーム１の排気口１ｂから排気される。
【００３１】
ここで、本実施形態では、ライトトンネルクリップ１３は、弾性変形可能で、かつ、バネ性を有するステンレスからなる板状の部材により形成されている。また、ライトトンネルクリップ１３には、図９〜図１１に示すように、板バネ部１３ａ、１３ｂ、１３ｃおよび１３ｄが形成されている。これら板バネ部１３ａ、１３ｂ、１３ｃおよび１３ｄの先端部には、それぞれ、ライトトンネル１２の隣接する２つのガラス板２０および２１の表面を、下部キャスティング７の保持部７ａの方向に押圧するための押圧部１３ｅ、１３ｆ、１３ｇおよび１３ｈが形成されている。なお、押圧部１３ｅおよび１３ｆは、本発明の「第１押圧部」の一例であり、押圧部１３ｇおよび１３ｈは、本発明の「第２押圧部」の一例である。押圧部１３ｅおよび１３ｆは、ライトトンネル１２のガラス板２０の外表面を下部キャスティング７の保持部７ａの一対の支持部７ｄ（図５参照）に向かって押圧するように構成されている。一方、押圧部１３ｇおよび１３ｈは、ライトトンネル１２のガラス板２１の外表面を、下部キャスティング７の保持部７ａの一対の支持部７ｅ（図６参照）に向かって押圧するように構成されている。
【００３２】
そして、図１３および図１４に示すように、ライトトンネル１２を固定するために、ライトトンネルクリップ１３が下部キャスティング７に取り付けられている状態では、図９に示すように、ライトトンネルクリップ１３の押圧部１３ｅおよび押圧部１３ｇは、光Ｌの進行方向に対して直交する同一の線３０上の位置Ｐ１に位置する。したがって、押圧部１３ｅおよび押圧部１３ｇは、それぞれ、ライトトンネル１２のガラス板２０およびガラス板２１の外表面の光Ｌの進行方向に対して直交する同一の線３０上の位置Ｐ１を押圧する機能を有する。また、ライトトンネルクリップ１３が下部キャスティング７に取り付けられている状態では、ライトトンネルクリップ１３の押圧部１３ｆおよび押圧部１３ｈは、光Ｌの進行方向に対して直交する同一の線４０上の位置Ｐ２に位置する。したがって、押圧部１３ｆおよび押圧部１３ｈは、ライトトンネル１２のガラス板２０およびガラス板２１の外表面の光Ｌの進行方向に対して直交する同一の線４０上の位置Ｐ２を押圧する機能を有する。
【００３３】
また、本実施形態では、図１０に示すように、ライトトンネルクリップ１３の矢印Ｃ方向の端部には、下部キャスティング７の係合孔７ｇに係合される３つの係合爪１３ｉが形成されている。これら３つの係合爪１３ｉは、先端部が外側に屈曲された形状に形成されている。また、図１１に示すように、ライトトンネルクリップ１３の矢印Ｄ方向の端部には、下部キャスティング７の係合孔７ｈに係合されるフック状の係合爪１３ｊが形成されている。なお、係合爪１３ｉは、本発明の「第１係合爪」の一例であり、係合爪１３ｊは、本発明の「第２係合爪」の一例である。また、これらの係合爪１３ｉおよび係合爪１３ｊは、弾性変形可能に形成されている。そして、図１３および図１４に示すように、ライトトンネル１２を固定するために、ライトトンネルクリップ１３が下部キャスティング７に取り付けられる際には、図１２および図１５に示すように、係合爪１３ｊが下部キャスティング７の係合孔７ｈに係合されるとともに、図１２および図１６に示すように、３つの係合爪１３ｉが下部キャスティング７の係合孔７ｇに係合されるように構成されている。
【００３４】
また、本実施形態では、ライトトンネルクリップ１３の矢印Ｂ方向の端部には、マスク部１３ｋが形成されている。マスク部１３ｋには、ライトトンネル１２の入射口１２ｂに対応する矩形状の開口部１３ｍが形成されている。したがって、このマスク部１３ｋは、ライトトンネル１２の入射口１２ｂにのみ光源ランプ１０からの光Ｌを通過させ、それ以外のライトトンネル１２の外周部へと進行する光Ｌを遮蔽することによって、ライトトンネル１２の外側から表面への光Ｌの入射を防ぐことができる。マスク部１３ｋの矢印Ｂ方向の上端部１３ｎは、ライトトンネルクリップ１３の位置決めの際に、下部キャスティング７の突出部７ｋに当接されてライトトンネルクリップ１３の上方への移動が規制されるように構成されている。また、図１１に示すように、ライトトンネルクリップ１３が取り付けられている状態では、マスク部１３ｋの折り曲げ加工の際の加工精度のばらつきなどによるマスク部１３ｋの位置ずれに起因して、マスク部１３ｋがカラーホイール１１と干渉しないように、マスク部１３ｋの下端部は、下部キャスティング７の開口部７ｊに嵌め込まれる。
【００３５】
図２に示すように、レンズ群１４は、ライトトンネル１２の出射口１２ｃ側に配置され、ＤＭＤ素子１７上に結像させる機能を有する。ミラー１５は、レンズ群１４を透過した光Ｌをレンズ１６へと集光する機能を有する。ＤＭＤ素子１７は、レンズ１６によって集光された光Ｌを投影レンズ８に供給する機能を有する。このＤＭＤ素子１７は、表面に多数の反射部を有するとともに、それら多数の反射部を画像信号に応じて変化させ、反射光の有無によって画像を形成する。また、ＤＭＤ素子１７には、ＤＭＤ素子１７を制御するプリント基板２６が取り付けられている。また、プリント基板２６には、ＤＭＤ素子１７の熱を放熱するためのヒートシンク部材２７が取り付けられている。
【００３６】
次に、図２を参照して、本実施形態のプロジェクタ５０の動作について説明する。まず、図２に示すように、光源ランプ１０のバルブ１０ａからの光Ｌが光源ランプ１０のリフレクタ１０ｂによって集光される。この後、カラーホイール１１によって色が付加された光Ｌがライトトンネル１２の入射口１２ｂから導光路１２ａに入射される。次に、ライトトンネル１２の導光路１２ａによって矩形状に成形された光Ｌは、矢印Ｆ方向に進行してレンズ群１４を透過した後、ミラー１５に反射される。そして、ミラー１５に反射された光Ｌは、矢印Ｇ方向に進行し、レンズ１６を透過した後、ＤＭＤ素子１７に入射する。これにより、ＤＭＤ素子１７によって形成された画像に対応する光Ｌが矢印Ｈ方向に進行するとともに、その画像が投影レンズ８によって拡大されてスクリーンなどに投影される。
【００３７】
本実施形態では、上記のように、ライトトンネル１２の２つのガラス板２０および２１の外表面の光Ｌの進行方向に対して直交する実質的に同一の線３０（４０）上の位置Ｐ１（Ｐ２）をそれぞれ押圧する押圧部１３ｅ（１３ｆ）および押圧部１３ｇ（１３ｈ）を含むライトトンネルクリップ１３を設けることによって、押圧部１３ｅ（１３ｆ）および押圧部１３ｇ（１３ｈ）により、ライトトンネル１２の２つのガラス板２０および２１の外表面の光Ｌの進行方向に対して直交する実質的に同一の線３０（４０）上の位置Ｐ１（Ｐ２）を押圧することができるので、ライトトンネル１２のガラス板２０および２１の外表面にそれぞれ作用する各押圧力の光Ｌの進行方向に沿った押圧位置が、互いにずれるのを抑制することができる。これにより、ライトトンネル１２が下部キャスティング７の保持部７ａに安定した状態で保持されるので、冷却ファン２５および２８のモータなどの振動によるライトトンネル１２の位置ずれを抑制することができる。
【００３８】
また、本実施形態では、上記のように、ライトトンネルクリップ１３に、下部キャスティング７に形成された３つの係合孔７ｇおよび係合孔７ｈにそれぞれ係合される３つの係合爪１３ｉおよび係合爪１３ｊを設けることによって、ライトトンネルクリップ１３の３つの係合爪１３ｉおよび係合爪１３ｊを、それぞれ、３つの係合孔７ｇおよび係合孔７ｈに係合させることにより、ライトトンネルクリップ１３を下部キャスティング７に取り付けることができる。これにより、ネジなどによってライトトンネルクリップ１３を取り付ける場合に比べて、ライトトンネルクリップ１３の取付工程を簡略化することができるとともに、部品点数を低減することができる。また、係合爪１３ｉおよび係合爪１３ｊを弾性変形可能なバネ性を有する材料により形成することによって、ネジによりライトトンネルクリップ１３を下部キャスティング７に固定する場合と異なり、ライトトンネル１３の振動を吸収することができる。また、下部キャスティング７に位置決め用の突出部７ｋを一体的に設けることによって、その一体的に設けられた位置決め用の突出部７ｋにライトトンネルクリップ１３のマスク部１３ｋの上端部１３ｎを当接させてライトトンネルクリップ１３の上方向の位置決めをすることができるので、部品点数を増加させることなく、ライトトンネルクリップ１３の位置決めをすることができる。
【００３９】
また、上記実施形態では、ライトトンネルクリップ１３のマスク部１３ｋを嵌め込み可能な開口部７ｊを下部キャスティング７に設けることによって、ライトトンネルクリップ１３のマスク部１３ｋの一部を下部キャスティング７の開口部７ｊに嵌め込むことができるので、マスク部１３ｋの折り曲げ加工の際の加工精度のばらつきなどによるマスク部１３ｋの位置ずれを防ぐことができる。これにより、間隔が数ｍｍで配置されるマスク部１３ｋとカラーホイール１１とが、干渉することを防止することができるので、マスク部１３ｋおよびカラーホイール１１が破損するのを防止することができる。また、下部キャスティング７の保持部７ａに、ライトトンネル１２のガラス板２２および２３の外表面の所定部分を支持する凸状の支持部７ｄおよび７ｅを設けることによって、ライトトンネル１２のガラス板２２および２３の外表面の所定部分を、それぞれ、下部キャスティング７の保持部７ａの凸状の支持部７ｄおよび７ｅ上に配置することができるので、保持部７ａの支持面７ｂおよび７ｃとライトトンネル１２のガラス板２２および２３との間に空間を形成することができる。さらに、保持部７ａの支持面７ｂに空気の取入口７ｆを設けることによって、保持部７ａの空気の取入口７ｆから送られる空気が、支持部７ｄおよび７ｅにより形成される保持部７ａとライトトンネル１２のガラス板２２および２３の外表面との間の空間を流れることができるので、ライトトンネル１２の冷却効率を向上させることができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、４つの押圧部１３ｅ、１３ｆ、１３ｇおよび１３ｈを有するライトトンネルクリップ１３の例を示したが、本発明はこれに限らず、２つまたは６つ以上の押圧部をライトトンネルクリップに形成し、ライトトンネルの異なる表面を押圧する押圧部が、ライトトンネルの光の進行方向と直交する同一の線上の位置を押圧するように構成してもよい。
【００４２】
また、上記実施形態では、ライトトンネルクリップ１３の係合爪１３ｉおよび係合爪１３ｊを、それぞれ、矢印Ｃ方向および矢印Ｄ方向側の位置に形成する例を示したが、本発明はこれに限らず、係合爪（１３ｉ）および係合爪（１３ｊ）をそれぞれ矢印Ａ方向および矢印Ｂ方向側の位置に形成してもよい。なお、このように構成した場合には、下部キャスティング（７）に形成する係合孔（７ｇ）および係合孔（７ｈ）を、それぞれ、係合爪（１３ｉ）および係合爪（１３ｊ）に対応させて形成すればよい。
【００４３】
また、上記実施形態では、ライトトンネルクリップ１３に３つの係合爪１３ｉおよび１つの係合爪１３ｊを形成する例を示したが、本発明はこれに限らず、各係合爪の数は、適宜変更可能である。
【図面の簡単な説明】
【００４４】
【図１】本発明の一実施形態によるプロジェクタの全体構成を示した斜視図である。
【図２】本発明の一実施形態によるプロジェクタの内部構成を概略的に示した平面図である。
【図３】本発明の一実施形態によるプロジェクタの内部構成を示す斜視図である。
【図４】図３における内部構成の一部を矢印Ｄ方向から見た斜視図である。
【図５】本発明の一実施形態によるプロジェクタの下部キャスティングの斜視図である。
【図６】本発明の一実施形態によるプロジェクタの下部キャスティングの斜視図である。
【図７】本発明の一実施形態によるプロジェクタの下部キャスティングの保持部周辺の底面図である。
【図８】本発明の一実施形態によるプロジェクタのライトトンネルの斜視図である。
【図９】本発明の一実施形態によるプロジェクタのライトトンネルクリップの平面図である。
【図１０】本発明の一実施形態によるプロジェクタのライトトンネルクリップの斜視図である。
【図１１】本発明の一実施形態によるプロジェクタのライトトンネルクリップの斜視図である。
【図１２】図１１におけるライトトンネルクリップが取り付けられた下部キャスティングの保持部周辺の底面の斜視図である。
【図１３】ライトトンネルクリップが下部キャスティングに取り付けられた状態の斜視図である。
【図１４】ライトトンネルクリップが下部キャスティングに取り付けられた状態の斜視図である。
【図１５】ライトトンネルクリップ、ライトトンネルおよび下部キャスティングの一部の分解斜視図である。
【図１６】ライトトンネルクリップ、ライトトンネルおよび下部キャスティングの一部の分解斜視図である。
【図１７】従来のプロジェクタにおける、ライトトンネルが取り付けられるキャスティングの斜視図である。
【図１８】従来のプロジェクタにおける、ライトトンネルクリップの斜視図である。
【図１９】従来のプロジェクタにおける、ライトトンネルクリップがキャスティングに取り付けられた状態の斜視図である。
【符号の説明】
【００４５】
７     下部キャスティング（光学部品保持部材）
７ａ   保持部
７ｂ    支持面
７ｃ    支持面
７ｄ   支持部
７ｅ   支持部
７ｆ   取入口
７ｇ   係合孔（第１係合孔）
７ｈ   係合孔（第２係合孔）
７ｊ   開口部
７ｋ   突出部
１２   ライトトンネル
１２ａ  導光路
１３   ライトトンネルクリップ
１３ｅ、１３ｆ    押圧部（第１押圧部）
１３ｇ、１３ｈ    押圧部（第２押圧部）
１３ｉ 係合爪（第１係合爪）
１３ｊ 係合爪（第２係合爪）
１３ｋ マスク部
１３ｍ 開口部
１３ｎ 上端部
５０   プロジェクタ
Ｌ     光
Ｐ１   位置
Ｐ２   位置
【図１】
2007256337.tif 000003
【図２】
2007256337.tif 000004
【図３】
2007256337.tif 000005
【図４】
2007256337.tif 000006
【図５】
2007256337.tif 000007
【図６】
2007256337.tif 000008
【図７】
2007256337.tif 000009
【図８】
2007256337.tif 000010
【図９】
2007256337.tif 000011
【図１０】
2007256337.tif 000012
【図１１】
2007256337.tif 000013
【図１２】
2007256337.tif 000014
【図１３】
2007256337.tif 000015
【図１４】
2007256337.tif 000016
【図１５】
2007256337.tif 000017
【図１６】
2007256337.tif 000018
【図１７】
2007256337.tif 000019
【図１８】
2007256337.tif 000020
【図１９】
2007256337.tif 000021